(57)【特許請求の範囲】
【請求項１】
コンテンツデータが記録される記録媒体と、
上記記録媒体に記録されるコンテンツデータをネットワークを介して配信するサーバ装置と、
上記サーバ装置よりダウンロードしたコンテンツデータを上記記録媒体に記録するユーザ端末装置とを備え、
上記記録媒体は、
リードイン側に、上記ユーザ端末装置が上記サーバ装置にアクセスして上記コンテンツデータをダウンロードする際のダウンロードページのＵＲＬ（uniform resource location）と、当該記録媒体を識別する記録媒体識別データとが予め記録された読出専用領域と、
上記読出専用領域の外周側にブランク状態で設けられ、上記ユーザ端末装置が上記サーバ装置よりダウンロードしたコンテンツデータが記録される記録領域とを有し、
上記サーバ装置は、
上記ネットワークを介して上記ユーザ端末装置に配信するコンテンツデータを蓄積するサーバ蓄積手段と、
上記ユーザ端末装置から、上記記録媒体識別データと、上記記録媒体の記録領域に記録するコンテンツデータをダウンロードするためのダウンロード要求とを受信するサーバ受信手段と、
上記サーバ受信手段で上記ダウンロード要求を受信すると、上記記録媒体識別データに基づいて上記サーバ蓄積手段に蓄積されたコンテンツデータを検索するサーバ検索手段と、
上記サーバ検索手段で検索されたコンテンツデータを上記ユーザ端末装置に送信するサーバ送信手段とを有し、
上記ユーザ端末装置は、
上記記録媒体が装着されると、該記録媒体から上記ＵＲＬ及び上記記録媒体識別データを読み出すユーザ端末読出手段と、
上記サーバ装置に上記記録媒体識別データ及び上記ダウンロード要求を送信するユーザ端末送信手段と、
上記サーバ装置から送信されたコンテンツデータを受信するユーザ端末受信手段と、
上記ユーザ端末受信手段で受信されたコンテンツデータを上記記録媒体の記録領域に記録するユーザ端末記録手段とを有し、
上記ユーザ端末装置において、上記記録媒体が装着されると、上記ユーザ端末読出手段は、上記記録媒体の読出専用領域に記録されている上記ＵＲＬ及び上記記録媒体識別データを読み出し、上記ユーザ端末送信手段は、該記録媒体から読み出されたＵＲＬに基づく上記サーバ装置に、上記記録媒体識別データ及び上記ダウンロード要求を送信し、
次いで、上記サーバ装置において、上記サーバ受信手段が上記ユーザ端末装置からの上記記録媒体識別データ及び上記ダウンロード要求を受信すると、上記サーバ検索手段は、該記録媒体識別データに基づいて上記サーバ蓄積手段に蓄積されたコンテンツデータを検索し、上記サーバ送信手段は、該サーバ検索手段で検索されたコンテンツデータを上記ユーザ端末装置に送信し、
次いで、上記ユーザ端末装置において、上記ユーザ端末受信手段が上記サーバ装置から送信されたコンテンツデータを受信すると、上記ユーザ端末記録手段は、該コンテンツデータを上記記録媒体の記録領域に記録する通信システム。
【請求項２】
ネットワークを介してコンテンツデータを、リードイン側に設けられた読出専用領域と該読出専用領域の外周側にブランク状態で設けられた記録領域とを有する記録媒体に記録する他の装置に配信するコンテンツデータを蓄積する蓄積手段と、
上記他の装置が、上記記録媒体の読出専用領域に予め記録されたＵＲＬ（uniform resource location）と上記記録媒体を識別する記録媒体識別データとを読み出し、該ＵＲＬに基づいてアクセスすることで、上記他の装置から送信された該記録媒体識別データとダウンロード要求とを受信する受信手段と、
上記受信手段で上記ダウンロード要求を受信すると、上記記録媒体識別データに基づいて上記蓄積手段に蓄積された上記記録媒体の記録領域に記録されるコンテンツデータを検索する検索手段と、
上記検索手段で検索されたコンテンツデータを上記他の装置に送信する送信手段とを備える通信装置。
【請求項３】
上記蓄積手段には、上記コンテンツデータと共に、上記記録媒体識別データが記録されており、
上記受信手段が上記ダウンロード要求を受信したとき、上記送信手段は、上記他の装置に、少なくとも上記記録媒体識別データを送信する請求項２記載の通信装置。
【請求項４】
更に、上記記録媒体識別データに基づいて、上記記録媒体が正規の記録媒体であるか否かを判別する判別手段を備え、
上記受信手段が、上記他の装置から送信された上記記録媒体識別データを受信し、上記判別手段が、上記他の装置から送信された上記記録媒体識別データに基づいて上記記録媒体が正規の記録媒体であると判別したとき、上記送信手段は、上記検索手段で検索された上記コンテンツデータを上記他の装置に送信する請求項２記載の通信装置。
【請求項５】
上記記録媒体は、該記録媒体の記録領域に記録可能なコンテンツデータに関連する画像が印刷されたジャケットが収納されたパッケージに包装されており、
上記ジャケットに印刷された画像の画像データが、上記記録媒体識別データとなる請求項３又は請求項４記載の通信装置。
【請求項６】
上記記録媒体識別データは、上記記録媒体に記録されるコンテンツデータ毎にある請求項３又は請求項４記載の通信装置。
【請求項７】
ネットワークを介してコンテンツデータを、リードイン側に設けられた読出専用領域と該読出専用領域の外周側にブランク状態で設けられた記録領域とを有する記録媒体に記録する他の装置に配信するコンテンツデータが蓄積手段に蓄積されており、
上記他の装置が、上記記録媒体の読出専用領域に予め記録されたＵＲＬ（uniform resource location）と上記記録媒体を識別する記録媒体識別データとを読み出し、該ＵＲＬに基づいてアクセスすることで、上記他の装置から送信された該記録媒体識別データとダウンロード要求とを受信手段で受信するステップと、
次いで、上記受信手段で上記ダウンロード要求を受信すると、上記記録媒体識別データに基づいて上記蓄積手段に蓄積された上記記録媒体の記録領域に記録されるコンテンツデータを検索手段で検索するステップと、
次いで、上記検索手段で検索されたコンテンツデータを上記送信手段より上記他の装置に送信するステップとを有する通信方法。
【請求項８】
リードイン側に設けられた読出専用領域と該読出専用領域の外周側にブランク状態で設けられた記録領域とを有する記録媒体が装着されると、該記録媒体の読出専用領域から、該読出専用領域に予め記録された、該記録媒体に記録されるコンテンツデータをネットワークを介して配信する他の装置にアクセスしてコンテンツデータをダウンロードする際のダウンロードページのＵＲＬ（uniform resource location）と該記録媒体を識別する記録媒体識別データとを読み出す読出手段と、
上記読出手段で上記ＵＲＬと上記記録媒体識別データとを読み出すと、該記録媒体から読み出されたＵＲＬに基づく上記他の装置にアクセスし、上記他の装置に上記記録媒体識別データ及びダウンロード要求を送信する送信手段と、
上記他の装置が、上記ダウンロード要求に応じて、上記記録媒体識別データに基づいて、該他の装置に蓄積されたコンテンツデータを検索し、該他の装置から送信された該コンテンツデータを受信する受信手段と、
上記受信手段で受信されたコンテンツデータを上記記録媒体の記録領域に記録する記録手段とを備える通信装置。
【請求項９】
更に、上記記録媒体より上記読出手段によって読み出された上記記録媒体識別データに基づいて、上記記録媒体が正規の記録媒体であるか否かを判別する判別手段を備え、
上記読出手段は、上記記録媒体識別データを上記記録媒体より読み出し、上記判別手段が上記記録媒体が正規なものであると判別したとき、上記送信手段は、上記他の装置にアクセスする請求項８記載の通信装置。
【請求項１０】
上記他の装置には、上記コンテンツデータと共に、上記コンテンツデータと関連付けされたサーバ記録媒体識別データが記録されており、
更に、当該通信装置は、上記他の装置が上記ダウンロード要求を受信した後に該他の装置から送信された上記サーバ記録媒体識別データと上記記録媒体の読出専用領域より上記読出手段によって読み出された上記記録媒体識別データとに基づいて、上記記録媒体が正規の記録媒体であるか否かを判別する判別手段を備え、
上記判別手段が上記記録媒体が正規なものであると判別したとき、上記送信手段が、上記他の装置に認証信号を送信し、
上記他の装置は、上記認証信号を受信すると、上記記録媒体識別データに基づいて、該他の装置に蓄積されたコンテンツデータの中からコンテンツデータを検索する請求項８記載の通信装置。
【請求項１１】
上記送信手段は、上記他の装置が上記記録媒体が正規の記録媒体であるか否かを判別するため、上記記録媒体識別データを上記他の装置に送信する請求項８記載の通信装置。
【請求項１２】
上記記録媒体は、該記録媒体の記録領域に記録可能なコンテンツデータに関連する画像が印刷されたジャケットが収納されたパッケージに包装されており、
上記ジャケットに印刷された画像の画像データが、上記記録媒体識別データとなる請求項９乃至請求項１１のうちいずれか１記載の通信装置。
【請求項１３】
上記記録媒体識別データは、上記記録媒体に記録されるコンテンツデータ毎にある請求項９乃至請求項１１のうちいずれか１記載の通信装置。
【請求項１４】
リードイン側に設けられた読出専用領域と該読出専用領域の外周側にブランク状態で設けられた記録領域とを有する記録媒体が装着されると、該記録媒体の読出専用領域から、該読出専用領域に予め記録された、該記録媒体に記録されるコンテンツデータをネットワークを介して配信する他の装置にアクセスしてコンテンツデータをダウンロードする際のダウンロードページのＵＲＬ（uniform resource location）と該記録媒体を識別する記録媒体識別データとを読出手段で読み出すステップと、
上記読出手段で上記ＵＲＬと上記記録媒体識別データとを読み出すと、該記録媒体から読み出されたＵＲＬに基づく上記他の装置にアクセスし、上記他の装置に上記記録媒体識別データ及びダウンロード要求を送信手段より送信するステップと、
上記他の装置が、上記ダウンロード要求に応じて、上記記録媒体識別データに基づいて、該他の装置に蓄積されたコンテンツデータを検索し、該他の装置から送信された該コンテンツデータを受信手段で受信するステップと、
上記受信手段で受信されたコンテンツデータを上記記録媒体の記録領域に記録手段で記録するステップとを有する通信方法。
【発明の詳細な説明】
【０００１】
【発明の属する技術分野】
本発明は、パッケージメディアに対してネットワークを介してダウンロードしたコンテンツデータを記録することができる通信システム、通信装置及び通信方法に関する。
【０００２】
【従来の技術】
現在、コンテンツデータは、コンパクトディスク等の再生専用の光ディスクに記録し、パッケージに収納してパッケージメディアとして頒布されている。この方法は、ユーザがパッケージメディアを購入することで、コンテンツデータを視聴者に提供することができると同時に、本来、人が有する所有欲を満足させることができる。
【０００３】
また、他の方法として、ネットワークを介してコンテンツデータを頒布する方法がある。この場合、ユーザは、記録可能な光ディスク、光磁気ディスク等にコンテンツデータを記録することもできる。このような方法は、頒布するときに、有体物であるパッケージメディアの受け渡しを行うこと無く、例えばネットワークを介してコンテンツデータを直接受け渡しすることができ頒布に非常に便利である。また、ネットワークを介してコンテンツデータを頒布する方法は、ユーザに対して最新のデータを容易に提供することができる利点もある。
【０００４】
【発明が解決しようとする課題】
ところで、ネットワークを介してコンテンツデータを頒布する方法は、例えばユーザがコンテンツデータのダウンロードを行うことができるウェブページを検索する必要があり、また、このウェブページを予め知っているときにもこのウェブページのアドレス情報をキーボード等で入力する必要があり、面倒である。また、このウェブページにアクセスしたときであっても、多くのアップロードされている多くのコンテンツデータの中から好みのコンテンツデータを探し出すことは、非常に時間がかかり、煩わしいものである。
【０００５】
また、ユーザは、コンテンツデータをダウンロードするとき、決済を行うため、氏名、住所等の他に、秘密性の高いクレジットカードのカード番号や暗証番号を入力し音楽配信サービスを提供しているサーバ装置に送信する必要がある。ネットワークを介してのデータのやり取りは、ネットワークに不正にアクセスした第三者に秘密性の高いデータが取得されるおそれがある。このため、ユーザは、安心してネットワークを介しての決済を行うことができない。
【０００６】
本発明の目的は、コンテンツデータをパッケージメディアを介して頒布する市場とコンテンツデータをネットワークを介して頒布する市場の両方を活性化することができる通信システム、通信装置及び通信方法を提供することにある。
【０００７】
また、本発明の目的は、予めブランクメディアをユーザが購入し、このブランクメディアにユーザがダウンロードしたコンテンツデータを記録することができるようにすることで、ネットワークを介しての決済を無くし、従来通りユーザが安心して決済を行うことができる通信システム、通信装置及び通信方法を提供することにある。
【０００８】
【課題を解決するための手段】
本発明に係る通信システムは、上述した課題を解決すべく、コンテンツデータが記録される記録媒体と、上記記録媒体に記録されるコンテンツデータをネットワークを介して配信するサーバ装置と、上記サーバ装置よりダウンロードしたコンテンツデータを上記記録媒体に記録するユーザ端末装置とを備え、上記記録媒体は、リードイン側に、上記ユーザ端末装置が上記サーバ装置にアクセスして上記コンテンツデータをダウンロードする際のダウンロードページのＵＲＬ（uniform resource location）と、当該記録媒体を識別する記録媒体識別データとが予め記録された読出専用領域と、上記読出専用領域の外周側にブランク状態で設けられ、上記ユーザ端末装置が上記サーバ装置よりダウンロードしたコンテンツデータが記録される記録領域とを有し、上記サーバ装置は、上記ネットワークを介して上記ユーザ端末装置に配信するコンテンツデータを蓄積するサーバ蓄積手段と、上記ユーザ端末装置から、上記記録媒体識別データと、上記記録媒体の記録領域に記録するコンテンツデータをダウンロードするためのダウンロード要求とを受信するサーバ受信手段と、上記サーバ受信手段で上記ダウンロード要求を受信すると、上記記録媒体識別データに基づいて上記サーバ蓄積手段に蓄積されたコンテンツデータを検索するサーバ検索手段と、上記サーバ検索手段で検索されたコンテンツデータを上記ユーザ端末装置に送信するサーバ送信手段とを有し、上記ユーザ端末装置は、上記記録媒体が装着されると、該記録媒体から上記ＵＲＬ及び上記記録媒体識別データを読み出すユーザ端末読出手段と、上記サーバ装置に上記記録媒体識別データ及び上記ダウンロード要求を送信するユーザ端末送信手段と、上記サーバ装置から送信されたコンテンツデータを受信するユーザ端末受信手段と、上記ユーザ端末受信手段で受信されたコンテンツデータを上記記録媒体の記録領域に記録するユーザ端末記録手段とを有し、上記ユーザ端末装置において、上記記録媒体が装着されると、上記ユーザ端末読出手段は、上記記録媒体の読出専用領域に記録されている上記ＵＲＬ及び上記記録媒体識別データを読み出し、上記ユーザ端末送信手段は、該記録媒体から読み出されたＵＲＬに基づく上記サーバ装置に、上記記録媒体識別データ及び上記ダウンロード要求を送信し、次いで、上記サーバ装置において、上記サーバ受信手段が上記ユーザ端末装置からの上記記録媒体識別データ及び上記ダウンロード要求を受信すると、上記サーバ検索手段は、該記録媒体識別データに基づいて上記サーバ蓄積手段に蓄積されたコンテンツデータを検索し、上記サーバ送信手段は、該サーバ検索手段で検索されたコンテンツデータを上記ユーザ端末装置に送信し、次いで、上記ユーザ端末装置において、上記ユーザ端末受信手段が上記サーバ装置から送信されたコンテンツデータを受信すると、上記ユーザ端末記録手段は、該コンテンツデータを上記記録媒体の記録領域に記録する。
【００１０】
更に、本発明に係る通信装置は、上述した課題を解決すべく、ネットワークを介してコンテンツデータを、リードイン側に設けられた読出専用領域と該読出専用領域の外周側にブランク状態で設けられた記録領域とを有する記録媒体に記録する他の装置に配信するコンテンツデータを蓄積する蓄積手段と、上記他の装置が、上記記録媒体の読出専用領域に予め記録されたＵＲＬ（uniform resource location）と上記記録媒体を識別する記録媒体識別データとを読み出し、該ＵＲＬに基づいてアクセスすることで、上記他の装置から送信された該記録媒体識別データとダウンロード要求とを受信する受信手段と、上記受信手段で上記ダウンロード要求を受信すると、上記記録媒体識別データに基づいて上記蓄積手段に蓄積された上記記録媒体の記録領域に記録されるコンテンツデータを検索する検索手段と、上記検索手段で検索されたコンテンツデータを上記他の装置に送信する送信手段とを備える。
【００１１】
更にまた、本発明に係る通信方法は、上述した課題を解決すべく、ネットワークを介してコンテンツデータを、リードイン側に設けられた読出専用領域と該読出専用領域の外周側にブランク状態で設けられた記録領域とを有する記録媒体に記録する他の装置に配信するコンテンツデータが蓄積手段に蓄積されており、上記他の装置が、上記記録媒体の読出専用領域に予め記録されたＵＲＬ（uniform resource location）と上記記録媒体を識別する記録媒体識別データとを読み出し、該ＵＲＬに基づいてアクセスすることで、上記他の装置から送信された該記録媒体識別データとダウンロード要求とを受信手段で受信するステップと、次いで、上記受信手段で上記ダウンロード要求を受信すると、上記記録媒体識別データに基づいて上記蓄積手段に蓄積された上記記録媒体の記録領域に記録されるコンテンツデータを検索手段で検索するステップと、次いで、上記検索手段で検索されたコンテンツデータを上記送信手段より上記他の装置に送信するステップとを有する。
【００１２】
更にまた、本発明に係る通信装置は、上述した課題を解決すべく、リードイン側に設けられた読出専用領域と該読出専用領域の外周側にブランク状態で設けられた記録領域とを有する記録媒体が装着されると、該記録媒体の読出専用領域から、該読出専用領域に予め記録された、該記録媒体に記録されるコンテンツデータをネットワークを介して配信する他の装置にアクセスしてコンテンツデータをダウンロードする際のダウンロードページのＵＲＬ（uniform resource location）と該記録媒体を識別する記録媒体識別データとを読み出す読出手段と、上記読出手段で上記ＵＲＬと上記記録媒体識別データとを読み出すと、該記録媒体から読み出されたＵＲＬに基づく上記他の装置にアクセスし、上記他の装置に上記記録媒体識別データ及びダウンロード要求を送信する送信手段と、上記他の装置が、上記ダウンロード要求に応じて、上記記録媒体識別データに基づいて、該他の装置に蓄積されたコンテンツデータを検索し、該他の装置から送信された該コンテンツデータを受信する受信手段と、上記受信手段で受信されたコンテンツデータを上記記録媒体の記録領域に記録する記録手段とを備える。
【００１３】
更にまた、本発明に係る通信方法は、上述した課題を解決すべく、リードイン側に設けられた読出専用領域と該読出専用領域の外周側にブランク状態で設けられた記録領域とを有する記録媒体が装着されると、該記録媒体の読出専用領域から、該読出専用領域に予め記録された、該記録媒体に記録されるコンテンツデータをネットワークを介して配信する他の装置にアクセスしてコンテンツデータをダウンロードする際のダウンロードページのＵＲＬ（uniform resource location）と該記録媒体を識別する記録媒体識別データとを読出手段で読み出すステップと、上記読出手段で上記ＵＲＬと上記記録媒体識別データとを読み出すと、該記録媒体から読み出されたＵＲＬに基づく上記他の装置にアクセスし、上記他の装置に上記記録媒体識別データ及びダウンロード要求を送信手段より送信するステップと、上記他の装置が、上記ダウンロード要求に応じて、上記記録媒体識別データに基づいて、該他の装置に蓄積されたコンテンツデータを検索し、該他の装置から送信された該コンテンツデータを受信手段で受信するステップと、上記受信手段で受信されたコンテンツデータを上記記録媒体の記録領域に記録手段で記録するステップとを有する。
【００１５】
【発明の実施の形態】
以下、本発明が適用されたコンテンツ配給システムについて、図面を参照して説明する。
【００１６】
図１に示すように、本発明が適用されたコンテンツ配給システム１は、楽曲データや映画データ等のコンテンツデータを制作すると共にこのコンテンツデータが記録されるパッケージメディアＭを制作するレコード会社Ａと、このパッケージメディアＭを販売するレコード店Ｂと、コンテンツデータを配信するプロバイダＣとから構成される。このコンテンツ配給システム１では、ユーザＤが、レコード店Ｂで購入したパッケージメディアＭを構成する光ディスク２に、プロバイダＣが管理するサーバ装置よりダウンロードしたコンテンツデータを記録することができるようになっている。
【００１７】
レコード会社Ａは、楽曲データ、映画データ、ゲームソフト等のコンテンツデータを制作し、レコード会社端末装置１０よりこのコンテンツデータをプロバイダＣが管理するサーバ装置２０にアップロードする。また、レコード会社Ａは、ユーザＤがユーザ端末装置３０でサーバ装置２０よりダウンロードした所望のコンテンツデータを記録することができる記録可能な光ディスク２をパッケージで包装したパッケージメディアＭを制作し、このパッケージメディアＭの販売をレコード店Ｂに委託する。
【００１８】
ここで、パッケージメディアＭは、パッケージにＣＤ−Ｒ、ＣＤ−ＲＷ、ＤＶＤ−Ｒ、ＤＶＤ−ＲＷ等の記録可能な光ディスク２をパッケージで包装したものであり、ユーザＤがユーザ端末装置３０で特定のウェブページよりダウンロードしたコンテンツデータを記録することができるようになっている。この光ディスク２は、コンテンツデータを記録することができる記録領域が設けられている他に、パッケージメディアＭを購入したユーザＤが光ディスク２をユーザ端末装置３０に装着したときに、コンテンツデータをダウンロードするために最初にアクセスするウェブページのアドレス情報が記録されている。また、このパッケージメディアＭには、光ディスク２と共に、光ディスク２に記録することができるコンテンツデータに関連する写真、解説等が印刷されたジャケットが収納されている。勿論、このジャケットの内容は、ユーザ端末装置３０の表示部に表示できるように、予め光ディスク２に記録しておくようにしてもよい。
【００１９】
このパッケージメディアＭのレコード店Ｂの販売価格は、パッケージメディアＭの光ディスク２に記録されるコンテンツデータの著作権料、コンテンツデータの使用量等を含むように価格設定がされている。よって、ユーザＤは、このパッケージメディアＭをレコード店Ｂで購入したとき、光ディスク２はブランクメディアであるが予めコンテンツデータを利用するに当たっての対価を前払いすることになる。このように、本システム１では、ユーザＤはネットワーク上の決済処理を行うこと無く、レコード店で決済処理を行うことができることから、ユーザＤは安心して決済処理を行うことができる。
【００２０】
また、レコード店ＢでパッケージメディアＭを購入したユーザＤは、図２に示すように、ユーザ端末装置３０でコンテンツデータをプロバイダＣが管理するサーバ装置２０よりダウンロードすることができる。すなわち、ステップＳ１において、ユーザＤは、レコード店ＢでパッケージメディアＭを購入する。ステップＳ２において、ユーザＤは、自らが所有するユーザ端末装置３０を起動し、ステップＳ３において、パッケージメディアＭの光ディスク２をユーザ端末装置３０の装着部に装着する。
【００２１】
ユーザＤがユーザ端末装置３０の装着部に光ディスク２を装着すると、ステップＳ４において、ユーザ端末装置３０は、光ディスク２に記録されているアドレス情報を読み出し、ネットワークに接続し、アドレス情報が示すウェブページが設けられたサーバ装置２０にアクセスする。すると、例えばユーザ端末装置３０の表示部には、ウェブページが表示される。このウェブページは、ダウンロード可能なコンテンツデータが一覧表示されており、ユーザＤが、ステップＳ５において、所望のコンテンツデータを選択することができるようになっている。
【００２２】
ユーザＤは、ステップＳ６において、ダウンロードを希望するコンテンツデータを選択すると、ユーザ端末装置３０でこの選択したコンテンツデータの一部を試聴することができる。そして、コンテンツデータを試聴してユーザＤが試聴したコンテンツデータを気に入ったときに、ユーザＤが例えば表示部に表示された選択釦をクリックすると、ステップＳ７において、ユーザ端末装置３０の表示部には、本システム１の利用規約が表示され、ユーザＤが利用規約に同意したとき、ユーザ端末装置３０は、ステップＳ８において、ユーザＤが選択したコンテンツデータのダウンロードを開始する。ステップＳ９において、ユーザ端末装置３０は、コンテンツデータのダウンロードが終了すると、このダウンロードしたコンテンツデータを装着部に装着されている光ディスク２に記録する。
【００２３】
このように、本システム１では、ユーザＤはパッケージメディアＭを購入すると、この後、自分の好きなコンテンツデータをサーバ装置よりダウンロードすることができる。このとき、ユーザ端末装置３０は、光ディスク２よりウェブページのアドレス情報であるＵＲＬを読み出し自動的にサーバ装置２０にアクセスし、ユーザＤの所望のウェブページを探す手間を省くようにしている。そして、例えば、ユーザＤは、最新ヒット曲等、当該ヒット曲を収録したパッケージメディアＭが発売される前に、当該ヒット曲を入手することができる。また、ユーザＤは、光ディスク２に、自分の好きな曲を収録したオリジナルの光ディスク２を作成することもできる。更に、ユーザＤは、既に廃盤になっているアルバムに収録されているコンテンツデータ等をダウンロードすることができる。更に、ユーザＤは、誕生日、結婚記念日等の記念日のプレゼント用として、記念日にちなんだコンテンツデータをダウンロードし光ディスク２に記録することもできる。
【００２４】
ところで、以上のようなコンテンツ配給システム１を構成するレコード会社Ａの所有するレコード会社端末装置１０と、本システム１を運営するプロバイダＣが管理するサーバ装置２０と、ユーザＤが所有するユーザ端末装置３０とは、ＩＳＤＮ（Integrated Services Digital Network）回線網、ＣＡＴＶ（Cable Television）回線網、光ケーブル回線網、衛星回線等のネットワークを介して接続されおり、ＴＣＰ／ＩＰ（transmission control protocol/internet protocol）、ＦＴＰ（file transfer protocol）等の伝送プロトコルに従ってデータのやり取りを行うようになっている。
【００２５】
図３に示すレコード会社Ａは所有するレコード会社端末装置１０は、通常のパーソナルコンピュータと同様な構成を備えてなるものであり、例えばレコード会社に所属するアーティストの楽曲データ等のコンテンツデータが蓄積される第１の記憶部１１と、パッケージメディアＭの光ディスク２に記録することができるコンテンツデータをダウンロードする際にアクセスするアドレス情報等が記憶される第２の記憶部１２と、第１の記憶部１１と第２の記憶部１２に記録されるデータを管理する管理部１３と、コンテンツデータ、アドレス情報等をサーバ装置２０にアップロードするための通信部１４とを備える。
【００２６】
第１及び第２の記憶部１１，１２は、例えば大容量のハードディスクで構成されている。第１の記憶部１１には、サーバ装置２０にアップロードする複数のコンテンツデータが蓄積されている。具体的に、第１の記憶部１１に蓄積されるコンテンツデータは、レコード会社に所属するアーティストの現在発売中のアルバム、既に廃盤になったアルバム、未発売のシングル曲、現在のヒット曲、ある曲をアレンジした曲等である。
【００２７】
また、第２の記憶部１２には、レコード店Ｂで販売されるパッケージメディアＭを識別するためのディスク識別データが蓄積されている。このディスク識別データは、光ディスク２に予め記録されるデータであり、パッケージメディアＭが正規なレコード会社Ａから発売されたものであるか否かを識別するデータである。また、このディスク識別データは、光ディスク２に記録することができるコンテンツデータの分野、種類等を特定するためのデータでもある。具体的に、ディスク識別データは、パッケージメディアＭの光ディスク２が、特定の年月のヒット曲を記録するためのものであるか、また、クリスマスソング等特定の季節にちなんだコンテンツデータを記録するためのものであるか、更に、特定アーティストのアルバムや曲を記録するためのものであるかを識別するものである。
【００２８】
また、第２の記憶部１２には、ユーザＤがユーザ端末装置３０でサーバ装置２０にアクセスしてコンテンツデータをダウンロードする際のダウンロードページのアドレス情報、すなわちＵＲＬ（uniform resource location）が記憶されている。例えば、第２の記憶部１２には、レコード会社Ａが特定年月のヒット曲をダウンロードすることができるパッケージメディアＭを発売するとき、このヒット曲をダウンロードできるウェブページのＵＲＬが保存され、レコード会社Ａがクリスマスソングをダウンロードし記録することができるパッケージメディアＭを発売するとき、このクリスマスソングをダウンロードできるウェブページのＵＲＬが保存され、更に、レコード会社Ａが特定アーティストのアルバムをダウンロードすることができるパッケージメディアＭを発売するとき、このアルバムをダウンロードするウェブページのＵＲＬが保存される。
【００２９】
管理部１３は、レコード会社Ａの操作者によって第１の記憶部１１に保存されているコンテンツデータが選択され、サーバ装置２０へのアップロード操作がされたとき、該当するコンテンツデータを第１の記憶部１１より読み出し、通信部１４よりサーバ装置２０に送信する。このとき、管理部１３は、第２の記憶部１２より、アップロードするコンテンツデータの記録可能なパッケージメディアＭのディスク識別データとＵＲＬを読み出し、通信部１４よりサーバ装置２０に送信する。これによって、サーバ装置２０は、所定のＵＲＬにレコード会社端末装置１０より送信されたコンテンツデータをダウンロードすることができるウェブページを開設する。
【００３０】
ここで、レコード会社Ａが販売するパッケージメディアＭについて説明すると、上述したように、このパッケージメディアＭは、パッケージにＣＤ−Ｒ、ＣＤ−ＲＷ、ＤＶＤ−Ｒ、ＤＶＤ−ＲＷ等の記録可能な光ディスク２をパッケージで包装したものである。また、パッケージには、光ディスク２に記録することができるコンテンツデータに関連する写真、解説等が印刷されたジャケットが収納されている。勿論、このジャケットの内容は、ユーザ端末装置３０の表示部に表示できるように、予め光ディスク２に記録しておくようにしてもよい。
【００３１】
ここで、この光ディスク２について図４を参照して説明すると、この光ディスク２は、例えば、リードイン側である内周側に読出専用領域３が設けられ、この読出専用領域３の外周側に記録領域４が設けられている。読出専用領域３には、上述したＵＲＬやディスク識別データが記録されている。また、この読出専用領域３には、例えばユーザＤがユーザ端末装置３０に光ディスク２を装着したときに、記録領域４に記録可能なコンテンツデータに関連する画像データ等が記録されている。なお、本発明では、この画像データを、上記ディスク識別データに代えるようにしてもよい。また、読出専用領域３の外周側に設けられる記録領域４は、ユーザ端末装置３０がサーバ装置２０よりダウンロードしたコンテンツデータが記録される領域である。
【００３２】
このような光ディスク２は、リードイン側に、ＵＲＬ、ディスク識別データ等が記録された読出専用領域３を設けることで、ユーザＤがユーザ端末装置３０に装着したとき、ユーザ端末装置３０が直ちにＵＲＬ、ディスク識別データ等を読み出すことができるようになっている。この光ディスク２は、ユーザ端末装置３０に装着されると、直ちに、ＵＲＬが示す所在にユーザ端末装置３０がアクセスし、また、ユーザ端末装置３０又はサーバ装置２０が装着された光ディスク２が正規なものであるかどうかを判断することができるようになる。
【００３３】
ユーザＤは、パッケージに光ディスク２と共に収納されたジャケットの内容を見ることによって、レコード店Ｂの店頭で、光ディスク２に記録することができるコンテンツデータを判断することができる。例えば、ユーザＤは、ジャケットを見ることで、光ディスク２には「２００１年７月ヒット曲」を記録することができるのか、「アーティストＸの曲」を記録することができるのか、「クリスマスソング」を記録することができるのか、「２００１年７月発売曲」を記録することができるのか等を判断することができる。
【００３４】
次に、本システム１の運営者であるプロバイダＣが管理するサーバ装置２０について図５を参照して説明すると、このサーバ装置２０は、通常のパーソナルコンピュータと同様な構成を備えてなるものであり、レコード会社端末装置１０から送信されたコンテンツデータを管理するコンテンツデータベースが構築された第１の記憶部２１と、コンテンツデータをダウンロードするユーザＤを管理するユーザデータベースが構築された第２の記憶部２２と、ウェブページ等を構成するデータが蓄積された第３の記憶部２３と、第１及び第２の記憶部２１，２２に設けられたデータベースを検索すると共に更新する検索更新部２４と、サーバ装置２０にアクセスしたユーザＤが正規にパッケージメディアＭを購入したものであるかを判別する判別部２５と、レコード会社端末装置１０やユーザ端末装置３０と通信を行う通信部２６とを備える。
【００３５】
第１乃至第３の記憶部２１，２２，２３は、例えば大容量のハードディスクで構成されている。第１の記憶部２１には、例えば下記表１に示すように、レコード会社端末装置１０よりアップロードされたコンテンツデータを管理するコンテンツデータベースが設けられている。
【００３６】
【表１】
0004604422.tif 000002
【００３７】
このコンテンツデータベースは、ジャンル毎にディスク識別データが付与され、更に、そのジャンルに含まれるコンテンツデータを示すコンテンツ識別データが関連付けられている。例えば、「２００１年７月のヒット曲」には、ディスク識別データ「Ａ０００１」が関連付けられ、更に、コンテンツ識別データ「ａａａ」、「ｂｂｂ」、「ｃｃｃ」等が関連付けられている。また、「特定アーティストＸのアルバム」には、ディスク識別データ「Ｂ０００１」が関連付けられ、更に、コンテンツ識別データ「ｄｄｄ」、「ｅｅｅ」、「ｆｆｆ」等が関連付けられている。また、「クリスマスソング」には、ディスク識別データ「Ｃ０００１」が関連付けられ、更に、コンテンツ識別データ「ｇｇｇ」、「ｈｈｈ」、「ｉｉｉ」等が関連付けられている。更にまた、「２００１年７月の発売曲」には、ディスク識別データ「Ｄ０００１」が関連付けられ、コンテンツ識別データ「ｊｊｊ」、「ｋｋｋ」、「ｌｌｌ」等が関連付けられている。
【００３８】
また、このコンテンツデータベースは、ディスク識別データ毎にコンテンツ識別データが関連付けられている。例えば、タイトル「○○○」には、ディスク識別データ「Ｅ０００１」が関連付けられ、更に、コンテンツ識別データ「ｍｍｍ」が関連付けられている。また、タイトル「△△△」には、ディスク識別データ「Ｆ０００１」が関連付けられ、更に、コンテンツ識別データ「ｎｎｎ」が関連付けられている。更に、タイトル「×××」には、ディスク識別データ「Ｇ０００１」が関連付けられ、更に、コンテンツ識別データ「ｏｏｏ」が関連付けられている。
【００３９】
また、このデータベースでは、各ディスク識別データに対応して、各ディスク識別データの示すコンテンツデータをダウンロードする際にアクセスするウェブページのＵＲＬが関連付けられている。
【００４０】
このように、コンテンツデータベースは、ユーザＤが購入したパッケージメディアＭの光ディスク２に記録されたディスク識別データに基づいてユーザＤのダウンロード可能なコンテンツデータを制限することができるようになっている。
【００４１】
また、第２の記憶部２２には、例えば下記表２に示すように、コンテンツデータをダウンロードするためサーバ装置２０にアクセスしたユーザ管理データベースが設けられている。
【００４２】
【表２】
0004604422.tif 000003
【００４３】
このユーザ管理データベースは、ユーザ名毎に、ユーザＤの所有するディスク識別データと、このディスク識別データの示すジャンルと、ディスク識別データに応じた残りのダウンロード回数やディスク識別データに応じたダウンロード可能な残りの期間とが関連付けられている。例えば、ユーザ「ａｂｃ」は、ディスク識別データが「Ａ０００１」の光ディスク２を所有しており、「２００１年７月のヒット曲」を１０曲中８曲までダウンロードし残り２曲をダウンロードすることができることがデータベースに記録されている。また、ユーザ「ｄｅｆ」は、ディスク識別データが「Ｂ０００２」の光ディスク２を所有しており、「アーティストＸの曲」を残り３日間ダウンロードすることができることがデータベース記録されている。更に、ユーザ「ｇｈｉ」は、ディスク識別データが「Ｃ０００１」の光ディスク２を所有しており、「クリスマスソング」を１１曲全てダウンロードしたことがデータベース記録されている。更に、ユーザ「ｊｋｌ」は、ディスク識別データが「Ｄ０００２」の光ディスク２を所有しており、「２００１年７月の発売曲」を残り１日ダウンロードすることがデータベース記録されている。
【００４４】
第３の記憶部２３は、ウェブページを構成する画像データ、音声データ等のウェブページ構成データが記憶されている他、コンテンツ識別データに関連付けてコンテンツデータが記録されている。ここで、第３の記憶部２３に蓄積されるコンテンツデータは、レコード発売後に修正を加えた修正版コンテンツデータ、季節に合わせてアレンジされたコンテンツデータ、レコード店Ｂで販売されているアルバムより収録曲数が多いアルバム等であり、例えば同じ曲がレコード店Ｂで販売されているかは関係ない。このように、第３の記憶部２３に蓄積されるコンテンツデータは、常に時の経過に応じて更新されるものであってもよい。
【００４５】
また、この第３の記憶部２３に記憶されているコンテンツデータは、ユーザ端末装置３０にコンテンツデータを送信する際のデータ量を小さくするために、音声データであるとき、ＡＴＲＡＣ３（Adaptive Transform Acoustic Coding 3：商標）、ＭＰＥＧ−２ＡＡＣ（Motion Picture Expert Group 2 Advanced Audio Coding：商標）、ＭＰ３（MPEG-1 Audio Layer3：商標）、ＴｗｉｎＶＱ（Transform-Domain Weighted Interleave Vector Quantization：商標）、ＭＳ  Ａｕｄｉｏ（ＷＭＡ:Windows Media Audio：商標）、Ｏｇｇ  Ｖｏｒｂｉｓ（商標）等の方式で圧縮され、ビデオデータであるとき、ＭＰＥＧ４、ＭＰＥＧ７等の方式で圧縮されている。
【００４６】
一般に、圧縮された例えばオーディオデータは、マスキング効果等を利用して圧縮してあり、僅かではあるが圧縮されていないオーディオデータに比べて音質が劣る。このように、本システム１では、ユーザ端末装置３０にダウンロードされるオーディオデータを、例えば圧縮されることなくオーディオデータが記録されレコード店Ｂで販売されるＣＤ−ＤＡ等再生専用の光ディスク２と品質を異ならせることで、市場が競合することを防止することができる。勿論、第３の記憶部２３に蓄積されるコンテンツデータは、圧縮により音質を劣化させるのではなく、積極的に音質を劣化させるようにしてもよい。また、これとは逆に、第３の記憶部２３に蓄積されるコンテンツデータは、レコード店Ｂで販売されるコンテンツデータより品質の高い、すなわち価値の高いものであってもよい。
【００４７】
また、第３の記憶部２３に蓄積されるコンテンツデータは、通常のＰＣＭのデータとし、圧縮しないデータであってもよい。この場合には、例えば、レコード店ＢでＣＤに記録して販売するコンテンツデータとダウンロードするコンテンツデータを異ならせることで、市場が競合しないようにすればよい。
【００４８】
検索更新部２４は、ユーザ端末装置３０から送信されたコンテンツデータを選択する選択データ等に基づいて、該当するコンテンツデータを第１の記憶部２１のコンテンツデータベースの中より検索し、また、ユーザ端末装置３０にコンテンツデータを送信したとき、該当するユーザＤを第２の記憶部２２のユーザ管理データベースの中より検索し、ユーザ管理データベースを更新する。
【００４９】
判別部２５は、ダウンロードするユーザＤが正当な権限を有するかどうかを判別する。すなわち、判別部２５は、ユーザ端末装置３０から送信されたディスク識別データに基づいて、ユーザＤがユーザ端末装置３０に装着された光ディスク２が正規の光ディスク２であるかどうかを判別する。また、判別部２５は、ユーザ管理データベースで既に規定曲数をダウンロードしたユーザＤやダウンロード期間を経過したユーザＤに対して更なるダウンロードをすることができないようにする。
【００５０】
次に、ユーザ端末装置３０の構成について説明すると、このユーザ端末装置３０は、例えばレコード店Ｂ等で従来より販売されているＣＤ−ＤＡ、ＣＤ−ＲＯＭ、ＤＶＤ等の再生専用光ディスク２の再生することができると共に、サーバ装置２０よりダウンロードしたコンテンツデータを記録可能な光ディスク２に記録することができ、ユーザ宅等に設置される装置である。このユーザ端末装置３０は、図６に示すように、光ディスク２を回転するスピンドルモータ３１と、光ディスク２に光ビームを照射し反射された戻りの光ビームを検出する光ピックアップ３２と、ＣＤ−ＤＡ等の再生専用の光ディスク２の再生処理を行うＤＳＰ（digital signal processor）３３と、圧縮されてるデータを伸長する伸長部３４と、ＣＤ−ＲＯＭ等再生専用光ディスク２より読み出したコンピュータプログラム等のデータをデコードすると共に記録可能な光ディスク２に記録するデータをエンコードするコーディック３５と、記録可能な光ディスク２に記録するデータに対して記録処理を施す記録処理部３６と、全体の動作を制御するシステムコントローラ３７とを備える。
【００５１】
また、ユーザ端末装置３０は、スピンドルモータ３１を駆動制御するモータ駆動部３８と、光ピックアップ３２を光ディスク２の径方向に送り操作するスレッドモータ３９と、スレッドモータ３９を駆動制御するモータ駆動部４０と、光ピックアップ３２に設けられた対物レンズ駆動装置を駆動制御する対物レンズ駆動部４１と、光ピックアップ３２内に設けられ光ビームを出射する半導体レーザを駆動するレーザ駆動部４２とを備える。
【００５２】
更に、ユーザ端末装置３０は、ＵＳＢ（Universal Serial Bus）の規格に従って他の装置とデータのやり取りをするＵＳＢインターフェース（以下、Ｉ／Ｆという。）４３と、記憶素子に半導体メモリを用いるＩＣカードのＩＣカードＩ／Ｆ４４と、オーディオデータ等が入力されるオーディオ入力部４５と、オーディオデータを出力するオーディオ出力部４６と、サーバ装置２０とデータ通信を行うための通信部４７と、ウェブページ等を表示する表示部４８と、表示部４８を制御する表示制御部４９と、再生操作や文字入力等を行うための操作部５０と、光ディスク２より読み出したＵＲＬにアクセスするブラウザ等が保存されたＲＯＭ等からなるメモリ５１とを備える。
【００５３】
スピンドルモータ３１は、駆動軸にディスクテーブルが取り付けられている。スピンドルモータ３１は、ディスクテーブルにセンタリングが図られた状態で装着された光ディスク２を回転する。ここで、スピンドルモータ３１を駆動制御するモータ駆動部３８は、装着された光ディスク２をＣＬＶ（constant linear velocity）、ＣＡＶ（constant angular velocity）又はこれらの組み合わせで回転するようにスピンドルモータ３１を駆動制御する。
【００５４】
光ピックアップ３２は、半導体レーザ等の光源より出射した光ビームを対物レンズで収束し、光ビームを合焦した状態で光ディスク２に照射すると共に光ディスク２で反射された戻りの光ビームを光検出器で検出することにより、光ディスク２に記録されたデータの読み出しを行うと共に、光ディスク２の記録トラックに対してデータの書き込みを行う。光ビームを出射する半導体レーザは、レーザ駆動部４２により駆動制御されており、このレーザ駆動部４２は、半導体レーザが記録時に、再生時よりも高出力で光ビームを出射するように半導体レーザを制御する。
【００５５】
この対物レンズは、対物レンズ駆動装置に保持されている。この対物レンズ駆動装置は、対物レンズ駆動部４１により駆動制御されており、この対物レンズ駆動部４１は、フォーカシングエラー信号とトラッキングエラー信号が０となるようにフォーカシング信号とトラッキング信号とを生成し、対物レンズ駆動装置にこれらの信号を出力する。対物レンズ駆動装置は、フォーカシング信号に基づいて、対物レンズを対物レンズの光軸方向となるフォーカシング方向に駆動変位すると共に対物レンズの光軸と直交する方向となるトラッキング方向に駆動変位する。
また、この光ピックアップ３２は、スレッドモータ３９により光ディスク２の径方向に送り操作される。スレッドモータ３９は、モータ駆動部４０により駆動制御されており、このモータ駆動部４０は、データの記録再生の進行に伴って、光ピックアップ３２を光ディスク２の内周側から外周側に順に移動するようにスレッドモータ３９を制御する。
【００５６】
ＤＳＰ３３は、光ピックアップ３２で読み出されたデータが入力される。ＤＳＰ３３は、入力されたデータがオーディオデータ等であるとき、光ピックアップ３２から入力された８−１４、８−１６変調等されたデータの復調処理を行う。また、ＤＳＰ３３は、クロスインターリーブドソロモン符号（ＣＩＲＣ：Cross Interleave Reed-Solomon Code）やリードソロモン積符号（ＲＳ−ＰＣ：Reed Solomon Product Code）を用いたエラー訂正処理を行う。そして、ＤＳＰ３３は、復調処理やエラー訂正処理を行ったデータを伸長部３４に出力する。また、ＤＳＰ３３は、入力されたデータがコンピュータプログラム、コンピュータで処理される処理データ等のデータであるとき、このデータをコーディック３５に出力する。
【００５７】
伸長部３４は、圧縮されたデータを伸長して、ＵＳＢＩ／Ｆ４３、ＩＣカードＩ／Ｆ４４、オーディオ出力部４６等に出力する。具体的に、伸長部３４は、ＡＴＲＡＣ３、ＭＰＥＧ−２ＡＡＣ、ＭＰ３、ＴｗｉｎＶＱ、ＭＳ  Ａｕｄｉｏ、Ｏｇｇ  Ｖｏｒｂｉｓ、ＭＰＥＧ４、ＭＰＥＧ７等の方式で圧縮されたデータを伸長する。
【００５８】
コーディック３５は、入力されたデータに応じて復調処理やエラー訂正処理を行い、伸長部３４に出力する。また、コーディック３５は、データを光ディスク２に記録するとき、入力されたデータに対して、８−１４変調や８−１６変調処理、ＣＩＲＣ、ＲＳ−ＰＣ等のエラー訂正符号を付加する処理、インターリーブ処理、ＤＳＶ（digital sum variation）処理等を行い、記録処理部３６に出力する。記録処理部３６は、光ディスク２への記録に必要な２値化処理等の記録処理を行い、レーザ駆動部４２に出力する。レーザ駆動部４２は、入力されたデータに基づいて、半導体レーザを駆動制御し、半導体レーザより光ビームを出射させる。
【００５９】
ＵＳＢＩ／Ｆ４３は、ＵＳＢ規格に準拠しており、例えば有線で他の装置とデータのやり取りを行う。ＵＳＢＩ／Ｆと接続されることによって、他の装置にデータを送信し、また、他の装置よりデータを読み出すことができる。なお、他の装置とデータのやり取りを行う方法は、このＵＳＢの他にＩＥＥＥ（Institute of Electrical and Electronics Engineers）１３９４等のＩ／Ｆを用いるようにしてもよい。また、ＩＣカードＩ／Ｆ４４には、ＩＣカードが装着される。ＩＣカードＩ／Ｆは、ＩＣカードの記録されたデータを読み出し、また、ＩＣカードにデータを記録することができる。更に、オーディオ入力部４５からは、他の装置よりオーディオデータが入力され、また、オーディオ入力部４５は、スピーカ、ヘッドホン、イヤホン等の電気音響変換器に接続されており、再生処理されたオーディオデータが出力される。
【００６０】
また、通信部４７は、ネットワークを介してサーバ装置２０とデータのやり取りを行う。例えば、通信部４７は、光ディスク２に記録されているＵＲＬにアクセスする。また、通信部４７は、サーバ装置２０よりコンテンツデータをダウンロードする。
【００６１】
表示部４８は、ＣＲＴ（cathode‐ray tube）やＬＣＤ（liquid crystal display）等で構成されており、表示制御部４９によって駆動制御される。この表示部４８には、例えば再生している光ディスク２のプログラムが表示されたり、ネットワークにアクセスしたとき、所定のウェブページが表示される。また、操作部５０は、光ディスク２の記録再生を操作するための再生開始釦、記録開始釦、停止釦、トラックジャンプ釦等の押し釦、文字入力するためのキーボードやテンキー、入力位置等を特定するためのマウス、ジョイスティック等から構成されている。
【００６２】
システムコントローラ３７は、操作部５０よりユーザＤの操作に応じて入力された操作信号に応じて全体の動作を制御する。例えば、システムコントローラ３７は、操作部５０より入力された操作信号に応じてＤＳＰ３３、コーディック３５、伸長部３４等を制御する。また、システムコントローラ３７は、光ディスク２が装着されると、ＲＯＭ等のメモリ５１よりウェブページ等を閲覧するためのブラウザを構成するアプリケーションプログラムを起動し、通信部４７より光ディスク２より読み出したＵＲＬにアクセスする。システムコントローラ３７は、通信部４７がサーバ装置２０よりコンテンツデータ等をダウンロードし、光ディスク２に記録するとき、エンコード処理を行うため、ダウンロードしたコンテンツデータをコーディック３５に出力する。また、システムコントローラ３７は、ダウンロードしたコンテンツデータを光ディスク２に記録するとき、光ディスク２が正規なものであるかどうかの判定を行う。また、通信部４７が特定のウェブページにアクセスし、ウェブページを構成する画像データ等をダウンロードしたとき、システムコントローラ３７は、表示制御部４９を介して表示部４８にウェブページを表示する。更に、システムコントローラ３７は、光ディスク２より読み出した画像データ等を表示部４８に表示する。
【００６３】
なお、このユーザ端末装置３０には、図６に示すように、光ディスク２にウォブル記録されたデータを読み出すためのフィルタ５２を設けるようにしてもよい。例えば、光ディスク２に記録されているデータの量子化ビット数が２０ビットであるときには、高音質を実現するための下位４ビットをウォブル記録し、このデータをフィルタ５２を介して抽出するようにしてもよく、また、コンテンツデータが暗号化されているときにこの暗号を解読する暗号鍵がウォブル記録されているときには、暗号鍵をフィルタ５２を介して抽出するようにしてもよい。
【００６４】
次に、ユーザＤがユーザ端末装置３０でコンテンツデータをサーバ装置２０からダウンロードしてレコード店Ｂで購入したパッケージメディアＭの光ディスク２に記録するまでの一連の手順について説明する。
【００６５】
図７に示すように、先ず、ステップＳ１１において、スピンドルモータ３１に設けられたディスクテーブルには、ユーザＤによって、パッケージメディアＭの光ディスク２が装着される。システムコントローラ３７は、光ディスク２がディスクテーブルに装着されたことを検出すると、ステップＳ１２において、光ディスク２の内周側に記録されたデータの読み込みを開始するように全体を制御する。すなわち、モータ駆動部３８は、光ディスク２をＣＬＶ又はＣＡＶで回転駆動し、モータ駆動部４０は、スレッドモータ３９を駆動し、光ピックアップ３２をディスクテーブルに装着された光ディスク２の内周側に移動させる。そして、光ピックアップ３２は、対物レンズ駆動部４１でフォーカシング制御やトラッキング制御を行いながら、光ビームを光ディスク２の読出専用領域３に照射し、光ディスク２で反射された戻りの光ビームを検出することによって、読出専用領域３に記録されたＵＲＬやディスク識別データの読出を行う。そして、ＤＳＰ３３は、光ピックアップ３２で読み出したＵＲＬやディスク識別データの再生処理を行い、再生処理がされたこれらのデータをシステムコントローラ３７に出力する。
【００６６】
ステップＳ１３において、システムコントローラ３７は、メモリ５１よりウェブページを閲覧するためのブラウザを構成するアプリケーションプログラムを起動する。そして、ブラウザは、ステップＳ１４において、ダイアルアップ等を行い、インターネット等のネットワークに接続する。ステップＳ１５において、ブラウザは、光ディスク２より読み出したＵＲＬに基づいて通信部４７を介してサーバ装置２０に開設されたウェブページにアクセスする。ステップＳ１６において、ブラウザは、サーバ装置２０よりアクセスしたウェブページを構成する画像データ等をダウンロードし、表示部４８にウェブページを表示する。このウェブページには、ユーザＤが所有する光ディスク２にダウンロードすることができるコンテンツデータのタイトルやサービス利用規約等が記載されている。
【００６７】
ステップＳ１７において、ユーザＤが操作部５０を構成するマウス等を用いて表示部４８に表示されたサービス利用規約に同意した上ダウンロード釦等をクリックすると、ブラウザは、コンテンツデータをダウンロードするためのダウンロード要求を通信部４７よりサーバ装置２０に送信する。ステップＳ１８において、サーバ装置２０は、通信部２６でユーザ端末装置３０から送信されたダウンロード要求を受信する。
【００６８】
また、ステップＳ１９において、ユーザ端末装置３０側のブラウザは、ディスクテーブルに装着された光ディスク２より読み出したディスク識別データを通信部４７よりサーバ装置２０に送信し、サーバ装置２０は、ステップＳ２０において、ユーザ端末装置３０より送信されたディスク識別データを通信部４７で受信する。
【００６９】
ステップＳ２１において、サーバ装置２０の判別部２５は、ユーザＤがコンテンツデータを記録しようとしている光ディスク２が正規の光ディスク２であるかどうかを判別する。具体的に、判別部２５は、ユーザ端末装置３０から送信されたディスク識別データが、第１の記憶部２１に構築された上記表１に示すコンテンツデータベースに登録されているものであるかを判断する。そして、サーバ装置２０は、判別部２５が正規な光ディスク２であると判断したとき、ステップＳ２２において、通信部２６より認証信号をユーザ端末装置３０に送信する。また、判別部２５が正規な光ディスク２でないと判断したとき、サーバ装置２０は、通信部２６より非認証信号をユーザ端末装置３０に送信し、ステップＳ３０において、接続を中止する。サーバ装置２０は、ステップＳ２３において、ダウンロード開始コマンドを通信部２６よりユーザ端末装置３０に送信する。サーバ装置２０は、ダウンロード開始コマンドをユーザ端末装置３０に送信することができたとき、ステップＳ２４に進み、送信することができなかったとき、ステップＳ３０において接続を中止する。
【００７０】
ステップＳ２４において、サーバ装置２０の検索更新部２４は、ユーザ端末装置３０から送信されたディスク識別データに関連付けられたコンテンツ識別データを検索する。検索更新部２４は、第３の記憶部２３に保存されているコンテンツ識別データに関連付けられたコンテンツデータを検索する。通信部２６は、該当するコンテンツデータを第３の記憶部２３より読み出し、ユーザ端末装置３０に送信する。
【００７１】
例えば、検索更新部２４は、上記表１に示すように、ユーザ端末装置３０より送信されたディスク識別データが「Ａ０００１」であるとき、コンテンツ識別データが「ａａａ」、「ｂｂｂ」、「ｃｃｃ」、・・・のコンテンツデータを検索し、通信部２６より連続してユーザ端末装置３０に送信するようにする。
【００７２】
一方、ユーザ端末装置３０側のブラウザは、ステップＳ２５において、サーバ装置２０より送信された認証信号を通信部４７で受信したかを判断し、認証信号を受信したとき、ステップＳ２６進む。また、ブラウザは、サーバ装置２０からの認証信号を受信しなかったとき、例えば非認証信号を受信したとき、ステップＳ３１において、サーバ装置２０との接続を中止する。
【００７３】
ステップＳ２６において、ユーザ端末装置３０側のブラウザは、サーバ装置２０から送信されたダウンロード開始コマンドを受信したかどうかを判断し、ダウンロード開始コマンドを受信したとき、ステップＳ２７において、コンテンツデータのダウンロードを開始する。また、ブラウザは、ダウンロード開始コマンドを受信しなかったとき、ステップＳ３１において、接続を中止する。
【００７４】
ステップＳ２８において、ブラウザは、コンテンツデータのダウンロードが終了したかどうかを判断し、ダウンロードが終了したとき、ステップＳ２９に進み、終了していないとき、ステップＳ１７に戻る。
【００７５】
コンテンツデータのダウンロードが終了すると、ダウンロードされたコンテンツデータは、ステップＳ２９において、光ディスク２に記録される。すなわち、ブラウザは、ダウンロードしたコンテンツデータをコーディック３５に出力する。コーディック３５は、システムコントローラ３７より入力されたコンテンツデータを所定の変調方式で変調し、またエラー訂正符号を付加する処理を行い、記録処理部３６に出力する。記録処理部３６は、２値化等光ディスク２にコンテンツデータを記録するに際して必要な記録処理を行う。また、モータ駆動部４０は、光ピックアップ３２を光ディスク２の記録領域４に移動させる。そして、レーザ駆動部４２は、半導体レーザに記録するコンテンツデータに合わせて高出力の光ビームを出射させる。そして、光ディスク２は、記録領域４の記録層を構成する相変化材料が相変化され、また、記録層を構成する色素が分解されることによってデータが記録される。
【００７６】
以上のような例によれば、ユーザＤは、自分が欲しいコンテンツデータを入手するに際して、ブランクメディアである光ディスク２のパッケージメディアＭをレコード店Ｂで購入する。したがって、ユーザＤは、ネットワークを介して決済を行うことが無くなり、レコード店Ｂの店頭で安心して決済を行うことができる。また、ユーザＤは、コンテンツデータをダウンロードする際に、決済の手続を行う必要が無いことから、円滑にコンテンツデータをサーバ装置２０からダウンロードすることができる。この例では、光ディスク２の認証をサーバ装置２０側で行うことから、ユーザ端末装置３０側での処理を軽くすることができる。
【００７７】
また、ユーザＤは、パッケージメディアＭを購入するに際して、パッケージメディアＭのジャケット等を見ることによって、光ディスク２に記録することができるコンテンツデータを識別することができる。また、ユーザＤは、レコード店Ｂでコンテンツデータが記録された光ディスク２のパッケージメディアが販売されているときにも、例えばサーバ装置２０からは最新バージョンのコンテンツデータ、例えば季節に合わせてアレンジされたコンテンツデータ、修正版のコンテンツデータをダウンロードすることができる。
【００７８】
以上の例は、ユーザＤがコンテンツデータを記録しようとする光ディスク２が正規なものであるかの判断をサーバ装置２０で行う例を説明したが、以下に説明するように、この判断は、ユーザ端末装置３０側で行うようにしてもよい。
【００７９】
すなわち、図８に示すように、先ず、ステップＳ４１において、スピンドルモータ３１に設けられたディスクテーブルには、ユーザＤによって、パッケージメディアＭの光ディスク２が装着される。システムコントローラ３７は、光ディスク２がディスクテーブルに装着されたことを検出すると、ステップＳ４２において、光ディスク２の内周側に記録されたデータ、すなわちＵＲＬとディスク識別データの読み込みを開始する。ステップＳ４３において、システムコントローラ３７は、メモリ５１よりウェブページを閲覧するためのブラウザを構成するアプリケーションプログラムを起動する。
【００８０】
ステップＳ４４において、システムコントローラ３７は、装着された光ディスク２が正規な光ディスク２であるかどうかを判断する。具体的に、システムコントローラ３７は、ディスク識別データを検出することができたとき、ディスクテーブルに装着された光ディスク２が正規なものであると判断する。そして、システムコントローラ３７は、ディスクテーブルに装着された光ディスク２が正規な光ディスク２であると判断したとき、ステップＳ４５に進み、ディスクテーブルに装着された光ディスク２が正規な光ディスク２でないと判断したとき、ステップＳ５７に進み、ネットワークに接続することを中止する。
【００８１】
ステップＳ４５において、システムコントローラ３７によって起動されたブラウザは、ダイアルアップ等を行い、インターネット等のネットワークに接続する。ステップＳ４６において、ブラウザは、光ディスク２より読み出したＵＲＬに基づいて通信部４７を介してサーバ装置２０に開設されたウェブページにアクセスする。ステップＳ４７において、ブラウザは、サーバ装置２０よりアクセスしたウェブページを構成する画像データ等をダウンロードし、表示部４８にウェブページを表示する。
【００８２】
ステップＳ４８において、ユーザＤが操作部５０を構成するマウス等を用いて表示部４８に表示されたサービス利用規約に同意した上ダウンロード釦等をクリックすると、ブラウザは、コンテンツデータをダウンロードするためのダウンロード要求とディスク識別データを通信部４７よりサーバ装置２０に送信する。ステップＳ４９において、サーバ装置２０は、通信部２６でユーザ端末装置３０から送信されたダウンロード要求とディスク識別データを受信する。
【００８３】
サーバ装置２０は、ステップＳ５０において、ダウンロード開始コマンドを通信部２６よりユーザ端末装置３０に送信する。サーバ装置２０は、ダウンロード開始コマンドをユーザ端末装置３０に送信することができたとき、ステップＳ５１に進み、送信することができなかったとき、ステップＳ５６において接続を中止する。
【００８４】
ステップＳ５１において、サーバ装置２０の検索更新部２４は、ユーザ端末装置３０から送信されたディスク識別データに関連付けられたコンテンツ識別データを検索する。検索更新部２４は、第３の記憶部２３に保存されているコンテンツ識別データに関連付けられたコンテンツデータを検索する。そして、通信部２６は、該当するコンテンツデータを第３の記憶部２３より読み出し、ユーザ端末装置３０に送信する。
【００８５】
例えば、検索更新部２４は、上記表１に示すように、ユーザ端末装置３０より送信されたディスク識別データが「Ｂ０００１」であるとき、コンテンツ識別データが「ｄｄｄ」、「ｅｅｅ」、「ｆｆｆ」、・・・のコンテンツデータを検索し、通信部２６より連続してユーザ端末装置３０に送信するようにする。
【００８６】
ステップＳ５２において、ユーザ端末装置３０側のブラウザは、サーバ装置２０から送信されたダウンロード開始コマンドを受信したかどうかを判断し、ダウンロード開始コマンドを受信したとき、ステップＳ５３において、コンテンツデータのダウンロードを開始する。また、ブラウザは、ダウンロード開始コマンドを受信しなかったとき、ステップＳ５７において、接続を中止する。
【００８７】
ステップＳ５４において、ブラウザは、コンテンツデータのダウンロードが終了したかどうかを判断し、ダウンロードが終了したとき、ステップＳ５５に進み、終了していないとき、ステップＳ４８に戻る。
【００８８】
コンテンツデータのダウンロードが終了すると、ダウンロードされたコンテンツデータは、ステップＳ５５において、光ディスク２に記録される。すなわち、ブラウザは、ダウンロードしたコンテンツデータをコーディック３５に出力する。そして、コーディック３５は、システムコントローラ３７より入力されたコンテンツデータを所定の変調方式で変調し、また、エラー訂正符号を付加する処理を行い、記録処理部３６は、２値化等光ディスク２にコンテンツデータを記録するに際して必要な記録処理を行う。また、モータ駆動部４０は、光ピックアップ３２を光ディスク２の記録領域４に移動させる。そして、レーザ駆動部４２は、半導体レーザに記録するコンテンツデータに合わせて高出力の光ビームを出射させる。そして、光ディスク２は、記録領域４にコンテンツデータが記録される。
【００８９】
この例では、光ディスク２の認証をユーザ端末装置３０側で行うことから、サーバ装置２０側での処理を軽くすることができる。
【００９０】
以上の例では、ユーザ端末装置３０に正規な光ディスク２が装着されたときに限ってサーバ装置２０にアクセスするときを説明したが、本発明は、以下に説明するように、サーバ装置２０にアクセスした後、コンテンツデータのダウンロードをする前に、ユーザ端末装置３０に正規な光ディスク２が装着されたかどうかを判別するようにしてもよい。
【００９１】
すなわち、図９に示すように、先ず、ステップＳ６１において、スピンドルモータ３１に設けられたディスクテーブルには、ユーザＤによって、パッケージメディアＭの光ディスク２が装着される。システムコントローラ３７は、光ディスク２がディスクテーブルに装着されたことを検出すると、ステップＳ６２において、光ディスク２の内周側に記録されたデータ、すなわちＵＲＬとディスク識別データの読み込みを開始する。ステップＳ６３において、システムコントローラ３７は、メモリ５１よりウェブページを閲覧するためのブラウザを構成するアプリケーションプログラムを起動する。
【００９２】
ブラウザは、ステップＳ６３において、ダイアルアップ等を行い、インターネット等のネットワークに接続する。ステップＳ６４において、ブラウザは、光ディスク２より読み出したＵＲＬに基づいて通信部４７を介してサーバ装置２０に開設されたウェブページにアクセスする。ステップＳ６６において、ブラウザは、サーバ装置２０よりアクセスしたウェブページを構成する画像データ等をダウンロードし、表示部４８にウェブページを表示する。
【００９３】
ステップＳ６７において、ユーザＤが操作部５０を構成するマウス等を用いて表示部４８に表示されたサービス利用規約に同意した上ダウンロード釦等をクリックすると、ブラウザは、コンテンツデータをダウンロードするためのダウンロード要求を通信部４７よりサーバ装置２０に送信する。ステップＳ６８において、サーバ装置２０は、通信部２６でユーザ端末装置３０から送信されたダウンロード要求を受信する。
【００９４】
ステップＳ６９において、サーバ装置２０の検索更新部２４は、第１の記録部２１に構成された上記表１のコンテンツデータベースを検索し、アクセスされたウェブページのＵＲＬより対応するディスク識別データを抽出する。ステップＳ６９において、サーバ装置２０は、通信部２６よりディスク識別データをユーザ端末装置３０に送信する。そして、ユーザ端末装置３０は、通信部４７でサーバ装置２０から送信されたディスク識別データを受信する。
【００９５】
ステップＳ７１において、ユーザ端末装置３０は、ユーザＤがコンテンツデータを記録しようとしている光ディスク２が正規の光ディスク２であるかどうかを判別する。具体的に、システムコントローラ３７は、光ディスク２から読み出したディスク識別データとサーバ装置２０から送信されたディスク識別データとが一致しているかどうかを判断する。システムコントローラ３７は、ディスク識別データが一致しているとき、ステップＳ７２に進み、光ディスク２の認証信号を通信部４７よりサーバ装置２０に送信し、ディスク識別データが一致しないとき、ステップＳ８２に進み、接続を中止する。
【００９６】
ステップＳ７３において、サーバ装置２０の判別部２５は、ユーザ端末装置３０からの光ディスク２の認証信号を受信したかどうかを判断する。判別部２５は、認証信号をユーザ端末装置３０より受信したとき、ステップＳ７４に進み、認証信号を受信しなかったとき、接続を中止する。
【００９７】
サーバ装置２０は、ステップＳ７４において、ダウンロード開始コマンドを通信部２６よりユーザ端末装置３０に送信する。サーバ装置２０は、ダウンロード開始コマンドをユーザ端末装置３０に送信することができたとき、ステップＳ７５に進み、送信することができなかったとき、ステップＳ８０において接続を中止する。ステップＳ７５において、サーバ装置２０の検索更新部２４は、ユーザ端末装置３０から送信されたディスク識別データに関連付けられたコンテンツ識別データを検索する。検索更新部２４は、第３の記憶部２３に保存されているコンテンツ識別データに関連付けられたコンテンツデータを検索する。そして、通信部２６は、該当するコンテンツデータを第３の記憶部２３より読み出し、ユーザ端末装置３０に送信する。
【００９８】
例えば、検索更新部２４は、上記表１に示すように、ユーザ端末装置３０より送信されたディスク識別データが「Ｃ０００１」であるとき、コンテンツ識別データが「ｇｇｇ」、「ｈｈｈ」、「ｉｉｉ」、・・・のコンテンツデータを検索し、通信部２６より連続してユーザ端末装置３０に送信するようにする。
【００９９】
ステップＳ７６において、ユーザ端末装置３０側のブラウザは、サーバ装置２０から送信されたダウンロード開始コマンドを受信したかどうかを判断し、ダウンロード開始コマンドを受信したとき、ステップＳ７７において、コンテンツデータのダウンロードを開始する。また、ブラウザは、ダウンロード開始コマンドを受信しなかったとき、ステップ８１において、接続を中止する。
【０１００】
ステップＳ７８において、ブラウザは、コンテンツデータのダウンロードが終了したかどうかを判断し、ダウンロードが終了したとき、ステップＳ７８に進み、終了していないとき、ステップＳ６７に戻る。
【０１０１】
コンテンツデータのダウンロードが終了すると、ダウンロードされたコンテンツデータは、ステップＳ７９において、光ディスク２に記録される。すなわち、ブラウザは、ダウンロードしたコンテンツデータをコーディック３５に出力する。そして、コーディック３５は、システムコントローラ３７より入力されたコンテンツデータを所定の変調方式で変調し、また、エラー訂正符号を付加する処理を行い、記録処理部３６は、２値化等光ディスク２にコンテンツデータを記録するに際して必要な記録処理を行う。また、モータ駆動部４０は、光ピックアップ３２を光ディスク２の記録領域４に移動させる。そして、レーザ駆動部４２は、半導体レーザに記録するコンテンツデータに合わせて高出力の光ビームを出射させる。そして、光ディスク２は、記録領域４にコンテンツデータが記録される。
【０１０２】
この例では、光ディスク２の認証をユーザ端末装置３０側で行うことから、サーバ装置２０側での処理を軽くすることができる。
【０１０３】
以上の例では、光ディスク２に記録する複数のコンテンツデータからなるコンテンツデータ群をダウンロードする例を説明したが、本発明は、以下に示すように、ユーザＤがダウンロードするコンテンツデータを選択することができるようにしてもよい。
【０１０４】
すなわち、図１０に示すように、先ず、ステップＳ９１において、スピンドルモータ３１に設けられたディスクテーブルには、ユーザＤによって、パッケージメディアＭの光ディスク２が装着される。システムコントローラ３７は、光ディスク２がディスクテーブルに装着されたことを検出すると、ステップＳ９２において、光ディスク２の内周側に記録されたデータ、すなわちＵＲＬとディスク識別データの読み込みを開始する。ステップＳ９３において、システムコントローラ３７は、メモリ５１よりウェブページを閲覧するためのブラウザを構成するアプリケーションプログラムを起動する。
【０１０５】
ブラウザは、ステップＳ９４において、ダイアルアップ等を行い、インターネット等のネットワークに接続する。ステップＳ９５において、ブラウザは、光ディスク２より読み出したＵＲＬに基づいて通信部４７を介してサーバ装置２０に開設されたウェブページにアクセスする。ステップＳ９６において、ブラウザは、サーバ装置２０よりアクセスしたウェブページを構成する画像データ等をダウンロードし、表示部４８にウェブページを表示する。
【０１０６】
ステップＳ９７において、ユーザＤが操作部５０を構成するマウス等を用いて表示部４８に表示されたサービス利用規約に同意した上ダウンロード釦等をクリックすると、ブラウザは、コンテンツデータをダウンロードするためのダウンロード要求を通信部４７よりサーバ装置２０に送信する。ステップＳ９８において、サーバ装置２０は、通信部２６でユーザ端末装置３０から送信されたダウンロード要求を受信する。
【０１０７】
また、ステップＳ９９において、ユーザ端末装置３０側のブラウザは、ディスクテーブルに装着された光ディスク２より読み出したディスク識別データを通信部４７よりサーバ装置２０に送信し、サーバ装置２０は、ステップＳ１００において、ユーザ端末装置３０より送信されたディスク識別データを通信部４７で受信する。
【０１０８】
ステップＳ１０１において、サーバ装置２０の判別部２５は、ユーザＤがコンテンツデータを記録しようとしている光ディスク２が正規の光ディスク２であるかどうかを判別する。具体的に、判別部２５は、ユーザ端末装置３０から送信されたディスク識別データが、第１の記憶部２１に構築された上記表１に示すコンテンツデータベースに登録されているものであるかを判断する。サーバ装置２０は、判別部２５が正規な光ディスク２であると判断したとき、ステップＳ１０２において、通信部２６より認証信号をユーザ端末装置３０に送信する。また、判別部２５が正規な光ディスク２でないと判断したとき、サーバ装置２０は、通信部２６より非認証信号をユーザ端末装置３０に送信し、ステップＳ１１６において、接続を中止する。
【０１０９】
次いで、サーバ装置２０は、ステップＳ１０３において、ユーザＤがダウンロードをすることができるコンテンツ選択メニュー画面を構成する画像データを第３の記憶部２３より読み出し、通信部２６よりユーザ端末装置３０に送信する。一方、ユーザ端末装置３０側のブラウザは、ステップＳ１０４において、サーバ装置２０より送信された認証信号を通信部４７で受信したかを判断し、認証信号を受信したとき、ステップＳ１０５進む。また、ブラウザは、サーバ装置２０からの認証信号を受信しなかったとき、例えば非認証信号を受信したとき、ステップＳ１１５において、サーバ装置２０との接続を中止する。
【０１１０】
ステップＳ１０５において、ユーザ端末装置３０のブラウザは、通信部４７で、コンテンツデータを選択する選択メニュー画面を構成する画像データ等を受信し、表示部４８に表示する。この表示部４８に表示されるコンテンツ選択メニュー画面は、例えば、上記表１に示すように、ディスク識別データが「Ｄ０００１」であるとき、選択可能なコンテンツデータとして、「ｊｊｊ」、「ｋｋｋ」、「ｌｌｌ」、・・・等を一覧表示する。
【０１１１】
ステップＳ１０６において、ユーザＤが操作部５０を構成するマウス等を用いて、表示部４８に表示されたコンテンツ選択メニュー画面よりダウンロードするコンテンツデータを選択する。ユーザＤが操作部５０を構成するマウス等を用いて表示部４８に表示されたサービス利用規約に同意した上ダウンロード釦等をクリックすると、ブラウザは、選択したコンテンツデータの選択データ等を通信部４７よりサーバ装置２０に送信する。ステップＳ１０７において、サーバ装置２０は、通信部２６でユーザ端末装置３０から送信されたコンテンツデータの選択データを受信する。ステップＳ１０８において、サーバ装置２０の検索更新部２４は、選択データに基づいて上記表１に示すコンテンツ管理データベースのコンテンツ識別データを検索する。検索更新部２４は、第３の記憶部２３に保存されているコンテンツ識別データに関連付けられたコンテンツデータを検索し抽出する。サーバ装置２０は、ステップＳ１０９において、ダウンロード開始コマンドを通信部２６よりユーザ端末装置３０に送信する。サーバ装置２０は、ダウンロード開始コマンドをユーザ端末装置３０に送信することができたとき、ステップＳ１１０に進み、送信することができなかったとき、ステップＳ１１６において接続を中止する。そして、通信部２６は、ステップＳ１１０において、該当するコンテンツデータを第３の記憶部２３より読み出し、ユーザ端末装置３０に送信する。
【０１１２】
例えば、検索更新部２４は、上記表１に示すように、ユーザＤにより選択されたコンテンツデータが「ｊｊｊ」、「ｋｋｋ」、「ｌｌｌ」であるとき、これらのコンテンツデータを通信部２６より連続してユーザ端末装置３０に送信する。
【０１１３】
ステップＳ１１１において、ユーザ端末装置３０側のブラウザは、サーバ装置２０から送信されたダウンロード開始コマンドを受信したかどうかを判断し、ダウンロード開始コマンドを受信したとき、ステップＳ１１２において、コンテンツデータのダウンロードを開始する。また、ブラウザは、ダウンロード開始コマンドを受信しなかったとき、ステップＳ１１５において、接続を中止する。
【０１１４】
ステップＳ１１３において、ブラウザは、コンテンツデータのダウンロードが終了したかどうかを判断し、ダウンロードが終了したとき、ステップＳ１１４に進み、終了していないとき、ステップＳ９７に戻る。
【０１１５】
コンテンツデータのダウンロードが終了すると、ダウンロードされたコンテンツデータは、ステップＳ１１４において、光ディスク２に記録される。すなわち、ブラウザは、ダウンロードしたコンテンツデータをコーディック３５に出力する。コーディック３５は、システムコントローラ３７より入力されたコンテンツデータを所定の変調方式で変調し、また、エラー訂正符号を付加する処理を行い、記録処理部３６は、２値化等光ディスク２にコンテンツデータを記録するに際して必要な記録処理を行う。また、モータ駆動部４０は、光ピックアップ３２を光ディスク２の記録領域４に移動させる。そして、レーザ駆動部４２は、半導体レーザに記録するコンテンツデータに合わせて高出力の光ビームを出射させる。そして、光ディスク２は、記録領域４にコンテンツデータが記録される。
【０１１６】
以上のような例によれば、ユーザＤは、自分の好きなコンテンツデータを選択して、選択したコンテンツデータをダウンロードし、光ディスク２に記録することができる。なお、本例は、光ディスク２の認証をサーバ装置２０側で行うものであったが、上記図８及び図９に示すように、ユーザ端末装置３０側で行うようにしてもよい。
【０１１７】
なお、光ディスク２にディスク識別データが複数記録されているときには、上記表１の「○○○」、「△△△」、「×××」・・・のように、ジャンルに関係なく選択したコンテンツデータをダウンロードすることができるようにしてもよい。
【０１１８】
以上、ユーザＤがコンテンツデータを選択することができる例を説明したが、本発明は、更に、コンテンツデータをダウンロードすることができる期間を制限したり、コンテンツデータのダウンロード数を制限するようにしてもよい。
【０１１９】
すなわち、図１１に示すように、先ず、ステップＳ１２１において、スピンドルモータ３１に設けられたディスクテーブルには、ユーザＤによって、パッケージメディアＭの光ディスク２が装着される。システムコントローラ３７は、光ディスク２がディスクテーブルに装着されたことを検出すると、ステップＳ１２２において、光ディスク２の内周側に記録されたデータ、すなわちＵＲＬとディスク識別データの読み込みを開始する。ステップＳ１２３において、システムコントローラ３７は、メモリ５１よりウェブページを閲覧するためのブラウザを構成するアプリケーションプログラムを起動する。
【０１２０】
ブラウザは、ステップＳ１２４において、ダイアルアップ等を行い、インターネット等のネットワークに接続する。ステップＳ１２５において、ブラウザは、光ディスク２より読み出したＵＲＬに基づいて通信部４７を介してサーバ装置２０に開設されたウェブページにアクセスする。ステップＳ１２６において、ブラウザは、サーバ装置２０よりアクセスしたウェブページを構成する画像データ等をダウンロードし、表示部４８にウェブページを表示する。
【０１２１】
ステップＳ１２７において、ユーザＤが操作部５０を構成するマウス等を用いて表示部４８に表示されたサービス利用規約に同意した上ダウンロード釦等をクリックすると、ブラウザは、コンテンツデータをダウンロードするためのダウンロード要求を通信部４７よりサーバ装置２０に送信する。ステップＳ１２８において、サーバ装置２０は、通信部２６でユーザ端末装置３０から送信されたダウンロード要求を受信する。
【０１２２】
また、ステップＳ１２９において、ユーザ端末装置３０側のブラウザは、ディスクテーブルに装着された光ディスク２より読み出したディスク識別データを通信部４７よりサーバ装置２０に送信し、サーバ装置２０は、ステップＳ１３０において、ユーザ端末装置３０より送信されたディスク識別データを通信部４７で受信する。
【０１２３】
ステップＳ１３１において、サーバ装置２０の判別部２５は、ユーザＤがコンテンツデータを記録しようとしている光ディスク２が正規の光ディスクであるかどうかを判別する。具体的に、判別部２５は、ユーザ端末装置３０から送信されたディスク識別データが、第１の記憶部２１に構築された上記表１に示すコンテンツデータベースに登録されているものであるかを判断する。サーバ装置２０は、判別部２５が正規な光ディスク２であると判断したとき、ステップＳ１３２において、通信部２６より認証信号をユーザ端末装置３０に送信する。また、判別部２５が正規な光ディスク２でないと判断したとき、サーバ装置２０は、通信部２６より非認証信号をユーザ端末装置３０に送信し、ステップＳ１５３において、接続を中止する。
【０１２４】
次に、サーバ装置２０の判別部２５は、アクセスのあったユーザＤが、既にユーザ登録してあるかどうかを判断する。すなわち、判別部２５は、第２の記憶部２２に構築されたユーザ管理データベースを検索し、アクセスのあったユーザＤが既に登録してあるかどうかを判断する。サーバ装置２０は、アクセスしたユーザＤが既にユーザ登録をしているとき、ステップＳ１３５に進み、ユーザ登録が無かったときステップＳ１３４に進む。
【０１２５】
ステップＳ１３４において、サーバ装置２０は、アクセスしたユーザＤのユーザ登録の処理を行う。すなわち、サーバ装置２０は、ユーザ端末装置３０に対して、ユーザ登録を行うためのユーザ登録画面を構成する画像データを送信する。ユーザ端末装置３０は、これを受信すると、表示部４８にユーザ登録画面を表示する。ユーザＤが操作部５０を操作することによって、ユーザ名等を入力し、ユーザＤの操作に応じて、ユーザ端末装置３０は、ユーザ登録のための入力データをサーバ装置２０に送信する。サーバ装置２０は、ユーザ端末装置３０からの入力データを通信部２６で受信すると、第２の記憶部２２に構築されたユーザ管理データベースに登録する登録処理を行い、ステップＳ１３５に進む。
【０１２６】
ステップＳ１３５において、サーバ装置２０の検索更新部２４は、ユーザ管理データベースを検索し、ステップＳ１３６において、アクセスのあったユーザＤのユーザ情報を抽出し、このユーザ情報を通信部２６よりユーザ端末装置３０に送信する。具体的に、サーバ装置２０は、ユーザ情報として、今までのダウンロード履歴、残り幾つコンテンツデータをダウンロードすることができるか若しくは何時までコンテンツデータをダウンロードすることができるか等の情報をユーザ端末装置３０に通信部４７より送信する。また、サーバ装置２０は、ステップＳ１３７において、ユーザＤがダウンロードをすることができるコンテンツ選択メニュー画面を構成する画像データを第３の記憶部２３より読み出し、通信部２６よりユーザ端末装置３０に送信する。
【０１２７】
一方、ユーザ端末装置３０側のブラウザは、ステップＳ１３８において、サーバ装置２０より送信された認証信号を通信部４７で受信したかを判断し、認証信号を受信したとき、ステップＳ１３９進む。また、ブラウザは、サーバ装置２０からの認証信号を受信しなかったとき、例えば非認証信号を受信したとき、ステップＳ１５２において、サーバ装置２０との接続を中止する。
【０１２８】
ステップＳ１３９において、ユーザ端末装置３０は、通信部４７でサーバ装置２０から送信されたユーザ情報を受信し、表示部４８に表示する。これによって、ユーザＤは、自分が残り幾つコンテンツデータをダウンロードすることができるか、又は、何時までコンテンツデータをダウンロードすることができるか知ることができる。
【０１２９】
ステップＳ１４０において、ユーザ端末装置３０のブラウザは、通信部４７で、コンテンツデータを選択する選択メニュー画面を構成する画像データ等を受信し、表示部４８に表示する。この表示部４８に表示されるコンテンツ選択メニュー画面は、例えば、上記表１に示すように、ディスク識別データが「Ｄ０００１」であるとき、選択可能なコンテンツデータとして、「ｊｊｊ」、「ｋｋｋ」、「ｌｌｌ」、・・・等を一覧表示する。
【０１３０】
ステップＳ１４１において、ユーザＤが操作部５０を構成するマウス等を用いて、表示部４８に表示されたコンテンツ選択メニュー画面よりダウンロードするコンテンツデータを選択する。ユーザＤが操作部５０を構成するマウス等を用いて表示部４８に表示されたサービス利用規約に同意した上ダウンロード釦等をクリックすると、ブラウザは、選択したコンテンツデータの選択データ等を通信部４７よりサーバ装置２０に送信する。ステップＳ１４２において、サーバ装置２０は、通信部２６でユーザ端末装置３０から送信されたコンテンツデータの選択データを受信する。
【０１３１】
ステップＳ１４３において、サーバ装置２０は、選択データを送信したユーザＤの状況を知るため、検索更新部２４で第２の記憶部２２に構築されたユーザ管理データベースを検索し、残りのダウンロード数や残りのダウンロード期間を抽出する。判別部２５は、ステップＳ１４３において、アクセスのあったユーザＤの状態が所定期間を経過しているかどうか又は所定ダウンロード数以下かどうかの判断を行う。サーバ装置２０は、このような閾値を満たしているとき、ステップＳ１４４に進み、閾値を満たしていないとき、ステップＳ１５３に進み、接続を中止する。
【０１３２】
ステップＳ１４４において、サーバ装置２０の検索更新部２４は、選択データに基づいて上記表１に示すコンテンツ管理データベースのコンテンツ識別データを検索する。検索更新部２４は、第３の記憶部２３に保存されているコンテンツ識別データに関連付けられたコンテンツデータを検索し抽出する。サーバ装置２０は、ステップＳ１４５において、ダウンロード開始コマンドを通信部２６よりユーザ端末装置３０に送信する。サーバ装置２０は、ダウンロード開始コマンドをユーザ端末装置３０に送信することができたとき、ステップＳ１４６に進み、送信することができなかったとき、ステップＳ１５３において接続を中止する。そして、通信部２６は、ステップＳ１４６において、該当するコンテンツデータを第３の記憶部２３より読み出し、ユーザ端末装置３０に送信する。例えば、検索更新部２４は、上記表１に示すように、ユーザＤにより選択されたコンテンツデータが「ｊｊｊ」、「ｋｋｋ」、「ｌｌｌ」であるとき、これらのコンテンツデータを通信部２６より連続してユーザ端末装置３０に送信する。
【０１３３】
検索更新部２４は、ステップＳ１４７において、ユーザ管理データベースを更新する。すなわち、検索更新部２４は、今回ダウンロードした数だけダウンロード数をインクリメントし、また、ダウンロード可能な残りの期間をディクリメントする。
【０１３４】
ステップＳ１４８において、ユーザ端末装置３０側のブラウザは、サーバ装置２０から送信されたダウンロード開始コマンドを受信したかどうかを判断し、ダウンロード開始コマンドを受信したとき、ステップＳ１４９において、コンテンツデータのダウンロードを開始する。また、ブラウザは、ダウンロード開始コマンドを受信しなかったとき、ステップＳ１５２において、接続を中止する。
【０１３５】
ステップＳ１５０において、ブラウザは、コンテンツデータのダウンロードが終了したかどうかを判断し、ダウンロードが終了したとき、ステップＳ１５１に進み、終了していないとき、ステップＳ１２７に戻る。
【０１３６】
コンテンツデータのダウンロードが終了すると、ダウンロードされたコンテンツデータは、ステップＳ１５１において、光ディスク２に記録される。すなわち、ブラウザは、ダウンロードしたコンテンツデータをコーディック３５に出力する。コーディック３５は、システムコントローラ３７より入力されたコンテンツデータを所定の変調方式で変調し、また、エラー訂正符号を付加する処理を行い、記録処理部３６は、２値化等光ディスク２にコンテンツデータを記録するに際して必要な記録処理を行う。また、モータ駆動部４０は、光ピックアップ１１を光ディスク２の記録領域４に移動させる。そして、レーザ駆動部４２は、半導体レーザに記録するコンテンツデータに合わせて高出力の光ビームを出射させる。そして、光ディスク２は、記録領域４にコンテンツデータが記録される。
【０１３７】
以上のような例によれば、コンテンツデータのダウンロードを、期間やダウンロード数によって制限することができる。なお、本例は、光ディスク２の認証をサーバ装置２０側で行うものであったが、上記図８及び図９に示すように、ユーザ端末装置３０側で行うようにしてもよい。
【０１３８】
また、光ディスク２にディスク識別データが複数記録されているときには、上記表１の「○○○」、「△△△」、「×××」・・・のように、ジャンルに関係なく選択したコンテンツデータをダウンロードすることができるようにしてもよい。
【０１３９】
なお、図７〜図１１に示すようにコンテンツデータが記録された光ディスク２は、ユーザ端末装置３０によって次のように再生することができる。すなわち、図６に示すように、操作部５０を構成する再生開始釦が押されると、光ピックアップ３２は、図４に示す光ディスク２の記録領域４にアクセスする。そして、光ピックアップ３２は、光ビームを光ディスク２に照射し、光ディスク２で反射された戻りの光ビームを検出し、読み取ったデータをＤＳＰ３３に出力する。ＤＳＰ３３は、データがオーディオデータ等であるとき、復調処理やエラー訂正処理等を行い、伸長部３４に出力する。また、コーディック３５は、ＤＳＰ３３より入力されたデータがコンピュータプログラムやコンピュータで処理される処理データ等であるとき、復調処理やエラー訂正処理等を行い、伸長部３４に出力する。そして、伸長部３４は、圧縮されたデータを伸長し、オーディオ出力部４６等に出力する。
【０１４０】
以上詳述したコンテンツ配給システム１によれば、ブランクメディアである光ディスク２のパッケージメディアＭをレコード店Ｂで購入するようにすることで、ユーザＤはネットワーク上で決済を行う必要が無くなり、安心して決済を行うことができる。また、ユーザＤは、パッケージメディアＭのジャケットを見ることによって、店頭で自分の好きなコンテンツデータをダウンロードすることができる光ディスク２のパッケージメディアＭを選ぶことができる。すなわち、ユーザＤは、本システム１を利用することによって、例えば特定月のヒット曲や新譜、クリスマス、誕生部、結婚記念日等のコンセプトに合ったオーディオデータ等を１枚の光ディスク２に記録することができる。
【０１４１】
更に、本システム１では、同じコンテンツデータがレコード店Ｂで販売されるパッケージメディアとして販売されていると共にサーバ装置２０でダウンロード可能であるときにも、例えば、サーバ装置２０でダウンロード可能なコンテンツデータを季節等に応じてアレンジしたり、修正版としたり、店頭で販売されるアルバムに対して曲数を減らしたりすることで、レコード店Ｂで販売されているコンテンツデータと差別化を図ることができる。更に、レコード店Ｂでコンテンツデータが販売される前に、サーバ装置２０でダウンロード可能とする代わりに、サーバ装置２０よりダウンロードするコンテンツデータの品質を劣化させることで、後日店頭で販売されるコンテンツデータと競合することを防止することができる。また、ユーザ端末装置３０は、光ディスク２より自動的にＵＲＬを読み出し、サーバ装置２０にアクセスすることで、ユーザＤのＵＲＬの入力操作等を省くことができる。
【０１４２】
なお、以上、図７〜図１１に示す一連の処理では、サーバ装置２０又はユーザ端末装置３０の何れか一方の装置で、ディスク識別データを用いて光ディスク２が正規な光ディスク２であるかどうかの認証を行っているが、本発明は、光ディスク２にウェブページのアドレス情報であるＵＲＬのみを予め記録しておき、この認証を行わないようにしてもよい。また、図７〜図１１に示す一連の処理では、更に、コンテンツデータをユーザＤが選択するときに、ユーザＤが選択したコンテンツデータを試聴することができるようにしてもよい。
【０１４３】
また、パッケージメディアＭとして頒布される記録媒体は、光ディスク２に限定されるものではなく、光磁気ディスク、半導体メモリを備えたＩＣカード、磁気ディスク等であってもよい。
【０１４４】
なお、サーバ装置２０等が行う上述した一連の処理は、ハードウェアにより行うことは勿論、ソフトウェアにより行うこともできる。一連の処理をソフトウェアによって行う場合には、そのソフトウェアを構成するプログラムが、汎用のパーソナルコンピュータや１チップのマイクロコンピュータ等にインストールされる。図１２は、上述した一連の処理を実行するプログラムがインストールされるコンピュータの構成例を示している。
【０１４５】
プログラムは、コンピュータに内蔵されている記録媒体としてのハードディスク６１やＲＯＭ(Read Only Memory)６２に予め記録しておくことができる。また、プログラムは、フレキシブル磁気ディスク、ＣＤ−ＲＯＭ(Compact Disc Read Only Memory)、ＭＯ(Magneto optical)ディスク、ＤＶＤ(Digital Versatile Disc)、磁気ディスク、半導体メモリ等のリムーバブル記録媒体６３に、一時的又は永続的に格納（記録）しておくことができる。このようなリムーバブル記録媒体６３は、いわゆるパッケージソフトウェアとして提供することができる。
【０１４６】
なお、プログラムは、上述したようなリムーバブル記録媒体６３からコンピュータにインストールする他、ダウンロードサイトから、ディジタル衛星放送用の人工衛星を介して、コンピュータに無線で転送したり、ＬＡＮ(Local Area Network)、インターネットといったネットワークを介して、コンピュータに有線で転送し、コンピュータでは、そのようにして転送されてくるプログラムを、通信部６４で受信し、内蔵するハードディスク６１にインストールすることができる。
【０１４７】
コンピュータは、ＣＰＵ(Central Processing Unit)６５を内蔵している。ＣＰＵ６５には、バス６６を介して、入出力インターフェース６７が接続されており、ＣＰＵ６５は、入出力インターフェース６７を介して、ユーザＤによって、キーボードやマウス等で構成される入力部６８が操作されることにより指令が入力されると、この指令に従って、ＲＯＭ６２に格納されているプログラムを実行する。
【０１４８】
又は、ＣＰＵ６５は、ハードディスク６１に格納されているプログラム、衛星若しくはネットワークから転送され、通信部６４で受信されてハードディスク６１にインストールされたプログラム、又はドライブ６９に装着されたリムーバブル記録媒体６３から読み出されてハードディスク６１にインストールされたプログラムを、ＲＡＭ(Random Access Memory)７０にロードして実行する。
【０１４９】
これにより、ＣＰＵ６５は、上述したフローチャートに従った処理、或いは上述したブロック図の構成により行われる処理を行う。そして、ＣＰＵ６５は、その処理結果を、必要に応じて、例えば、入出力インターフェース６７を介して、ＬＣＤやスピーカ等で構成される出力部７１から出力、或いは、通信部６４から送信、更に、ハードディスク６１に記録させる。
【０１５０】
ここで、コンピュータに各種の処理を行わせるためのプログラムを記述する処理ステップは、必ずしもフローチャートとして記載された順序に沿って時系列に処理する必要は無く、並列的或いは個別に実行される処理（例えば、並列処理或いはオブジェクトによる処理）も含むものである。
【０１５１】
また、プログラムは、１つのコンピュータにより処理されるものであってもよいし、複数のコンピュータによって分散処理されるものであってもよい。更に、プログラムは、遠方のコンピュータに転送されて実行されるものであってもよい。
【０１５２】
【発明の効果】
本発明によれば、コンテンツデータの記録されていない記録媒体をコンテンツの代金を含む金額で購入したユーザが、購入した記録媒体をユーザの所有する通信装置に装着すると、ユーザの所有する通信装置は、光ディスクよりアドレス情報を読み出し、このアドレス情報の示す蓄積手段にアクセスし、記録媒体に関連する画像に対応するコンテンツデータをダウンロードし、コンテンツデータを記録媒体に記録する。
【０１５３】
すなわち、ユーザは、レコード店等で、ジャケット写真等の記録媒体に関連する画像を見て、所望のコンテンツデータをダウンロードし記録することができる記録媒体を購入することができる。このとき、ユーザは、コンテンツデータの代金を前払いした形になるが、ネットワークを介さず決済ができることから、安心して記録媒体をレコード店等で購入することができる。また、記録媒体には、アドレス情報が記録されており、ＵＲＬを読出手段が読み出し、通信手段がこのアドレス情報に基づいて、コンテンツデータをダウンロードするためのアクセスをすることから、ユーザが従来のようにアドレス情報を入力する手間を省くことができる。
【図面の簡単な説明】
【図１】本発明が適用されたコンテンツ配給システムを説明する図である。
【図２】本システムにおいて、ユーザがパッケージメディアを購入してから所望のコンテンツデータをダウンロードするまでの一連の手順を説明するフローチャートである。
【図３】レコード会社端末装置の構成を説明する図である。
【図４】光ディスクの構成を説明する図である。
【図５】サーバ装置の構成を説明する図である。
【図６】ユーザ端末装置の構成を説明する図である。
【図７】ユーザがユーザ端末装置でコンテンツデータをサーバ装置からダウンロードしてレコード店で購入したパッケージメディアの光ディスクに記録するまでの一連の手順であり、サーバ装置が光ディスクの認証を行う例を説明するフローチャートである。
【図８】ユーザ端末装置が光ディスクの認証を行う例を説明するフローチャートである。
【図９】ユーザ端末装置が光ディスクの認証を行う他の例を説明するフローチャートである。
【図１０】ユーザ端末装置よりダウンロードするコンテンツデータを選択することができる場合の手順を説明するフローチャートである。
【図１１】光ディスクに記録するためのコンテンツデータのダウンロードを時間やダウンロード数で制限する例を説明するフローチャートである。
【図１２】コンピュータの構成を説明するブロック図である。
【符号の説明】
Ａ  レコード会社、Ｂ  レコード店、Ｃ  プロバイダ、Ｄ  ユーザ、Ｍ  パッケージメディア、１  コンテンツ配給システム、２  光ディスク、３  読出専用領域、４  記録領域、１０  レコード店端末装置、２０  サーバ装置、３０  ユーザ端末装置
【図１】
0004604422.tif 000004
【図２】
0004604422.tif 000005
【図３】
0004604422.tif 000006
【図４】
0004604422.tif 000007
【図５】
0004604422.tif 000008
【図６】
0004604422.tif 000009
【図７】
0004604422.tif 000010
【図８】
0004604422.tif 000011
【図９】
0004604422.tif 000012
【図１０】
0004604422.tif 000013
【図１１】
0004604422.tif 000014
【図１２】
0004604422.tif 000015